(57)【要約】【課題】  電源回路部内の保護回路を流用して携帯機器本体への電力供給を制御することにより、ヒューズ等の保護回路素子における部品選定に微調整を必要としないようにすること。【解決手段】  バッテリ回路２は過電流保護を行うためのＰＴＣ型サーミスタ４、バッテリ回路２の温度を検出するＮＴＣ型サーミスタ５及び電池部１４を備えており、携帯機器本体３はバッテリ回路２が携帯機器本体３に装着されることによってバッテリ回路２から供給される電力で動作し、判定部１０の信号処理部１２は、ＰＴＣ４の電圧とメモリ１３に記憶された基準電圧値とを比較することによってＰＴＣ４の電圧が異常状態を表す電圧値になったと判断した場合、電源部８をオフ状態にすることによって、バッテリ回路２から携帯機器本体３への電力供給を遮断する。【選択図】  図１
2006271077.tif 000002
【特許請求の範囲】
【請求項１】
過電流保護用の保護素子を有する電源回路部と、前記電源回路部が装着されることによって前記電源回路部から供給される電力で動作する携帯機器本体とを備えた携帯型電子機器において、
前記保護素子に生じる電圧が異常状態を表す電圧値になったとき、前記電源回路部から前記携帯機器本体へ供給される電力を遮断する制御手段を備えて成ることを特徴とする携帯型電子機器。
【請求項２】
前記携帯機器本体に設けられ、前記保護素子に生じる電圧が異常を表す電圧値か否かを判断する基準となる基準電圧値を記憶する基準電圧記憶手段を有し、
前記制御手段は、前記基準電圧記憶手段に記憶された基準電圧値の情報に基づいて、前記保護素子に生じる電圧が異常状態を表す電圧値か否かを判断することを特徴とする請求項１記載の携帯型電子機器。
【請求項３】
前記制御手段は、前記保護素子に生じる電圧が前記基準電圧記憶手段に記憶された基準電圧値以上のときに異常状態と判断し、前記電源回路部から前記携帯機器本体へ供給される電力を遮断することを特徴とする請求項２記載の携帯型電子機器。
【請求項４】
前記携帯機器本体に設けられ、  前記保護素子に生じる電圧が異常状態を表す電圧値になったときに前記電源回路部から前記携帯機器本体へ供給される電力を遮断したことを表す異常処理情報を記憶するための異常処理情報記憶手段を有し、
前記制御手段は、前記保護素子に生じる電圧に基づいて前記電源回路部から前記携帯機器本体へ供給される電力を遮断するときに、前記異常処理情報記憶手段に異常処理終了情報を記憶することを特徴とする請求項１乃至３のいずれか一に記載の携帯型電子機器。
【請求項５】
前記制御手段は、前記異常処理情報記憶手段に異常処理終了情報が記憶されている場合、前記電源回路部から前記携帯機器本体へ供給される電力を遮断することを特徴とする請求項４記載の携帯型電子機器。
【請求項６】
前記電源回路部は、更に、前記電源回路の温度を検出するためのセンサを備えて成り、
前記制御手段は、前記保護素子及びセンサからの信号に基づいて、前記電源回路部が前記携帯機器本体に装着されたか否かを判断することを特徴とする請求項１乃至５のいずれか一に記載の携帯型電子機器。
【請求項７】
前記保護素子はＰＴＣ型サーミスタであることを特徴とする請求項１乃至６のいずれか一に記載の携帯型電子機器。
【請求項８】
前記センサはＮＴＣ型サーミスタであることを特徴とする請求項６又は７記載の携帯型電子機器。
【発明の詳細な説明】
【技術分野】
【０００１】
本発明は、携帯電話、ＰＨＳ（Personal Handyphone System）、ＰＤＡ（携帯情報端末：Personal Digital Assistant）等のバッテリを電源として動作する携帯型電子機器に関する。
【背景技術】
【０００２】
従来から、携帯電話、ＰＨＳ、ＰＤＡ等のバッテリ（一次電池や二次電池）を電源として動作する携帯型電子機器が開発されている。
従来の携帯型電子機器は、携帯機器本体と、前記携帯機器本体に装着され、前記携帯機器本体に駆動用電力を供給する電源回路とを備えている。前記電源回路には、その温度検出等を目的とする保護回路等が設けられている（例えば、特許文献１、２参照）。
【０００３】
図３は、従来の携帯型電子機器の構成を示すブロック図である。
図３において、携帯型電子機器１０１は、電源回路部であるバッテリ回路１０２と、前記電源回路部が装着されることによって前記電源回路部から供給される電力で動作する携帯機器本体１０３とを備えている。
電源回路であるバッテリ回路１０２は、電池部１１４、過電流からの保護用のＰＴＣ（Positive Temperature Coefficient）型サーミスタ１０４、バッテリ回路１０２の温度検出のためのＮＴＣ（Negative Temperature Coefficient）型サーミスタ１０５を備えている。
【０００４】
端末機器本体１０３には、過電流保護用のヒューズ（ＦＵＳＥ）１０６、信号処理回部１１２からの制御信号に応答してバッテリ回路１０２からの電源電力を携帯機器本体に供給したり遮断したりする電源部１０８、過電流保護用ヒューズ（ＦＵＳＥ）１０７、負荷１０９、ＮＴＣ型サーミスタ１０５からのバッテリ回路１０２の温度を表すバッテリ温度信号を検出し、該温度に応じて電源部１０８のオン／オフを制御する信号処理部１１２を備えている。
負荷１０９に異常が発生した際には、大電流保護用のＰＴＣ１０４、過電流保護用のヒューズ１０６、過電流保護用のヒューズ１０７のいずれかが動作することにより、強制的に電源断となることで、携帯型電子機器１０１を、燃焼や発熱等から保護することができる。
【０００５】
しかしながら、安全保護回路がヒューズ１０６、１０７等のため、微調整が必要になるというも問題がある。
また、バッテリ回路が携帯機器本体に装着されたか否かの検出がＮＴＣ型サーミスタ１０５のみを用いて行っているため、ＮＴＣ型サーミスタ１０５の故障時に、バッテリ回路１０２の装着を検出ができないという問題がある。
【０００６】
【特許文献１】実開昭５８−７５４３９号公報
【特許文献２】特開平９−２２２４４８号公報
【発明の開示】
【発明が解決しようとする課題】
【０００７】
本発明は、前記問題点に鑑み成されたもので、電源回路部内の保護回路を流用して携帯機器本体への電力供給を制御することにより、ヒューズ等の保護回路素子における部品選定に微調整を必要としないようにすることを課題としている。
また、電源回路装着の検出を複数系統で行うことにより、電源回路の脱着検出を確実に行えるようにすることを課題としている。
【課題を解決するための手段】
【０００８】
本発明によれば、過電流保護用の保護素子を有する電源回路部と、前記電源回路部が装着されることによって前記電源回路部から供給される電力で動作する携帯機器本体とを備えた携帯型電子機器において、前記保護素子に生じる電圧が異常状態を表す電圧値になったとき、前記電源回路部から前記携帯機器本体へ供給される電力を遮断する制御手段を備えて成ることを特徴とする携帯型電子機器が提供される。
制御手段は、保護素子に生じる電圧が異常状態を表す電圧値になったとき、電源回路部から携帯機器本体へ供給される電力を遮断する。
【０００９】
ここで、前記携帯機器本体に設けられ、前記保護素子に生じる電圧が異常を表す電圧値か否かを判断する基準となる基準電圧値を記憶する基準電圧記憶手段を有し、前記制御手段は、前記基準電圧記憶手段に記憶された基準電圧値の情報に基づいて、前記保護素子に生じる電圧が異常状態を表す電圧値か否かを判断するように構成してもよい。
また、前記制御手段は、前記保護素子に生じる電圧が前記基準電圧記憶手段に記憶された基準電圧値以上のときに異常状態と判断し、前記電源回路部から前記携帯機器本体へ供給される電力を遮断するように構成してもよい。
【００１０】
また、前記携帯機器本体に設けられ、  前記保護素子に生じる電圧が異常状態を表す電圧値になったときに前記電源回路部から前記携帯機器本体へ供給される電力を遮断したことを表す異常処理情報を記憶するための異常処理情報記憶手段を有し、前記制御手段は、前記保護素子に生じる電圧に基づいて前記電源回路部から前記携帯機器本体へ供給される電力を遮断するときに、前記異常処理情報記憶手段に異常処理終了情報を記憶するように構成してもよい。
【００１１】
また、前記制御手段は、前記異常処理情報記憶手段に異常処理終了情報が記憶されている場合、前記電源回路部から前記携帯機器本体へ供給される電力を遮断するように構成してもよい。
また、前記電源回路部は、更に、前記電源回路の温度を検出するためのセンサを備えて成り、前記制御手段は、前記保護素子及びセンサからの信号に基づいて、前記電源回路部が前記携帯機器本体に装着されたか否かを判断するように構成してもよい。
また、前記保護素子はＰＴＣ型サーミスタであるように構成してもよい。
また、前記センサはＮＴＣ型サーミスタであるように構成してもよい。
【発明の効果】
【００１２】
本発明に係る携帯型電子機器によれば、電源回路部内の保護回路を流用して携帯機器本体への電力供給を制御することにより、ヒューズ等の保護回路素子における部品選定に微調整を必要としないようにすることが可能になる。
また、電源回路装着の検出を複数系統で行うことにより、電源回路の脱着検出を確実に行えるという効果を奏する。
【発明を実施するための最良の形態】
【００１３】
図１は、本発明の実施の形態に係る携帯型電子機の構成を示すブロック図である。
図１において、本発明の実施の形態に係る携帯型電子機器１は、電源供給部である電源回路部としてのバッテリ回路２と、バッテリ回路２が装着されることによってバッテリ回路２からの電力を電源として動作し、通信機能や演算処理機能等の携帯型電子機器本来の機能を有する携帯機器本体３とを備えている。
【００１４】
電源供給元であるバッテリ回路２は、電池部１４、過電流からの保護用のＰＴＣ（Positive Temperature Coefficient）型サーミスタ４、バッテリ回路２の温度を検出するためのセンサとしてのＮＴＣ（Negative Temperature Coefficient）型サーミスタ５を備えている。
携帯機器本体３は、過電流からの保護用の第１のヒューズ６、過電流から回路を保護するための保護素子としての第２のヒューズ７、判定部１０からの制御信号に応答してバッテリ回路２からの電源電力を携帯機器本体３に供給したり遮断したりするオン、オフする）電源供給部である電源部８、中央処理装置（ＣＰＵ）や通信回路等の負荷９、ＰＴＣ４からの信号を判定すると共に、電源部８を制御する判定部１０を備えている。尚、電源部８は、信号処理部１２からの制御信号に応答してオン状態又はオフ状態に制御されるスイッチ手段としてのスイッチ素子によって構成することができる。
【００１５】
判定部１０は、バッテリ回路２内部に設けられたＰＴＣ４の電圧信号を増幅する増幅器１１と、増幅器１１によって増幅された信号のレベルに応じて電源部８を制御する制御手段としての信号処理部１２と、信号処理部１２の信号判定基準及び、異常終了認識をした際にその情報を格納するための記憶手段としてのメモリ１３を備えている。尚、判定部１０は、メモリ１３に予めプログラムを記憶させておき、該プログラムを中央処理装置（ＣＰＵ）（図示せず）で実行するようにして構築することが可能である。
【００１６】
メモリ１３は、バッテリ回路２が携帯機器本体３に装着されているか否かを判定する基準電圧値である装着判定基準電圧値を記憶する装着判定基準電圧記憶手段、ＰＴＣ４の電圧が異常を表す電圧値か否かを判断する基準となる異常判定基準電圧値を予め記憶する異常判定基準電圧記憶手段、及び、ＰＴＣ４の電圧が異常状態を表す電圧値になったときにバッテリ回路２から携帯機器本体３へ供給される電力を遮断したことを表す異常終了処理情報を記憶するための異常終了処理情報記憶手段を備えている。
図２には、図１に示した携帯型電子機器の処理を示すフローチャートであり、主として信号処理部１２の処理を示すフローチャートである。
【００１７】
以下、図１及び図２を用いて、本発明の実施の形態に係る携帯型電子機器の動作を詳細に説明する。
先ず、バッテリ回路２を携帯機器本体３に挿入して装着すると（図２のステップＳ２０１）、ＮＴＣ型サーミスタ５により、バッテリ回路２の温度検出が可能となると共に、電池部１４から携帯機器本体３に電流が流れ、その電流によってＰＴＣ型サーミスタ４の両端には電位差が生じる。その両端の電位差は増幅器１１によって増幅され、信号処理部１２に入力される。
【００１８】
信号処理部１２は、ＮＴＣ５から供給されるバッテリ回路２の温度を表す温度信号及びＰＴＣ４に生じる両端電圧を増幅器１１によって増幅した信号を、メモリ１３の装着判定基準電圧記憶手段に格納されている所定電圧値の装着判定基準電圧値と比較することにより、バッテリ回路２の装着の認識を行う。
信号処理部１２は、バッテリ回路２が装着されたと判断すると、メモリ１３に異常終了処理情報記録があるか否かを判断する（ステップＳ２０２）。即ち、信号処理部１２は、メモリ１３の異常終了処理情報記憶手段に異常終了処理情報が記憶されているか否かを判断する。
【００１９】
信号処理部１２は、前記異常終了処理情報記憶手段に異常終了処理情報が記憶されている場合には、図示しない警報手段によって音や表示による警報を行う等の動作停止動作を行い（ステップＳ２０９）、動作を停止して終了する（ステップＳ２１０）。
信号処理部１２は、ステップＳ２０２において、異常終了処理情報記憶手段に異常終了処理情報が記憶されていない場合、その後に、異常処理終了が行われたか否かの判断を所定タイミング毎に実施し（ステップＳ２０３）、異常終了処理が行われたことを検出した場合、メモリ１３の異常終了処理記憶手段に異常終了処理情報を記憶して（ステップＳ２０７）、動作停止動作を実施し（ステップＳ２０９）、動作停止する（ステップＳ２１０）。
【００２０】
尚、ステップＳ２０３において、信号処理部１２は、ＰＴＣ４の両端電圧をモニタし、メモリ１３の異常判定基準電圧記憶手段に記憶されている異常判定基準電圧値と増幅器１１からの信号レベル（換言すれば、ＰＴＣ４の両端電圧に対応する信号レベル）とを比較し、前記信号レベルが所定の異常判定基準電圧値異常になった場合に、電源部８をオフ状態に制御することによって、バッテリ回路２から携帯機器本体３への電力供給を遮断し、携帯型電子機器１の動作を停止する。
【００２１】
信号処理部１２は、ステップＳ２０３において異常終了処理を検出しない状況下で、携帯型電子機器１の電源が投入された場合（例えば、使用者が図示しない操作部を操作することによって、携帯機器本体３が通信機能等の本来の機能を発揮するように電源が投入された場合）（ステップＳ２０４）、メモリ１３の異常終了記憶手段に異常終了処理の記録がないか否かを確認する（ステップＳ２０５）。
信号処理部１２は、異常終了処理記憶手段に異常終了処理情報が記憶されている場合には、動作停止動作を実施し、動作停止する（ステップＳ２０９、２１０）。
【００２２】
信号処理部１２は、ステップＳ２０５において異常処理終了情報が記憶されていないと判断した場合、その後に異常終了処理が生じたか否かを所定タイミング毎に実施し（ステップＳ２０６）、異常終了処理の発生を検出した場合、メモリ１３の異常終了処理記憶手段に異常終了処理情報を記憶し（ステップＳ２０８）、動作停止動作を実施し、動作停止する（ステップＳ２０９、Ｓ２１０）。
信号処理部１２は、ステップＳ２０６において、異常終了処理を検出しない場合には、携帯機器本体１０３が行う通信等の通常動作を継続するように、電源部１０８をオン状態に維持し、バッテリ回路２から携帯機器本体３へ電力供給が継続されるように電源部１０８を制御する。
【００２３】
以上説明したように、本発明の実施の形態に係る携帯型電子機器１によれば、過電流保護用の保護素子（ＰＴＣ４）を有する電源回路部（バッテリ回路２）と、バッテリ回路部２が装着されることによってバッテリ回路部２から供給される電力で動作する携帯機器本体３とを備えた携帯型電子機器１において、ＰＴＣに生じる電圧が異常状態を表す電圧値になったとき、バッテリ回路２から携帯機器本体３へ供給される電力を遮断する制御手段（信号処理部１２）を備えて成ることを特徴としている。
【００２４】
このようにして、バッテリ回路２内のＰＴＣ４を流用して携帯機器本体３への電力供給を制御することにより、ヒューズ６、７等の保護回路素子における部品選定に微調整を必要としないようにすることが可能になる。
また、バッテリ回路２装着の検出を複数系統（本実施の形態では、ＰＣＴ４を利用する系統とＮＴＣ５を利用する系統の２系統）で行うことにより、バッテリ回路２の脱着検出を確実に行えるという効果を奏する。
【００２５】
また、バッテリ回路２内部の保護回路を過電流検出用素子として流用しているので、新たに過電流検出用素子を追加する必要はなく、電流をモニタするための新規部品の追加による電圧降下及び、発熱を回避することが可能になる。
また、バッテリ回路２内部電位差をモニタすることで、バッテリ回路２の検出回路を多重にすることが可能になる。
【００２６】
また、電流をモニタしているので、ヒューズの選定の際に微調整を要すことなく、負荷９の異常などによる中電流の検出が可能になる。
さらに、バッテリ回路２内部に過電流保護用ＰＴＣ４を外部端子に出力可能とし、その両端の電位差をモニタすることで、負荷９に流れ込む電流をモニタ可能となり、負荷異常を検出可能となる等の効果を奏する。
【産業上の利用可能性】
【００２７】
携帯電話、ＰＨＳ、ＰＤＡ、電子辞書、携帯型パーソナルコンピュータをはじめとして、バッテリを電源として動作する携帯型電子機器に適用することが可能である。
【図面の簡単な説明】
【００２８】
【図１】本発明の実施の形態に係る携帯型電子機のブロック図である。
【図２】本発明の実施の形態に係る携帯型電子機器の処理を示すフローチャートである。
【図３】従来の携帯型電子機のブロック図である。
【符号の説明】
【００２９】
１・・・携帯型電子機器
２・・・電源回路としてのバッテリ回路
３・・・携帯機器本体
４・・・保護素子としてのＰＴＣ型サーミスタ
５・・・センサとしてのＮＴＣ型サーミスタ
６、７・・・ヒューズ
８・・・電源部
９・・・負荷
１０・・・判定部
１１・・・増幅器
１２・・・制御手段としての信号処理部
１３・・・記憶手段としてのメモリ
１４・・・電池部
【図１】
2006271077.tif 000003
【図２】
2006271077.tif 000004
【図３】
2006271077.tif 000005